(57)【要約】【課題】ろうそくの炎の形状及び色彩に近い光像が得られる電飾器を提供すること。【解決手段】光を下端から入射するための入射部６１、及び入射部６１の上端に連設されて光を出射するための出射部６２を有するレンズ６と、レンズ６の入射部６１の下端から白色光を入射させるための発光素子Ａ，Ｂ，Ｃと、少なくともレンズ６の外周の回りを取り囲む半透明のカバー部４と、を備える電飾器１であって、レンズ６は、出射部６２が、半透明の橙色に着色された光拡散面を外周に有する尖頭状に形成され、入射部６１の下端側の側周面が不透明の青色に着色されている。【選択図】図３
0003148132.tif 000002
【実用新案登録請求の範囲】
【請求項１】
光を一端から入射するための柱状の入射部、及び前記入射部の他端に連設されて光を出射するための尖頭状の出射部を有するレンズと、
前記レンズの前記入射部の前記一端から白色光を入射させるための発光部と、
少なくとも前記レンズの外周の回りを取り囲む半透明のカバー部と、
を備える電飾器であって、
前記レンズは、
半透明の橙色に着色された光拡散部を前記出射部の外周面に有し、
前記入射部の前記一端側の側周面が青色に着色されていることを特徴とする電飾器。
【請求項２】
光を一端から入射するための柱状の入射部、及び前記入射部の他端に連設されて光を出射するための尖頭状の出射部を有するレンズと、
少なくとも前記入射部の前記一端側の側周面を囲んで前記レンズを保持するレンズ受けと、
前記レンズの前記入射部の前記一端から白色光を入射させるための発光部と、
少なくとも前記レンズの外周の回りを取り囲む半透明のカバー部と、
を備える電飾器であって、
前記レンズは、半透明の橙色に着色された光拡散部を前記出射部の外周面に有し、
前記レンズ受けは、前記レンズの前記入射部を囲む内周面が青色に着色されていることを特徴とする電飾器。
【請求項３】
前記レンズの前記光拡散部は粗面によって構成されていることを特徴とする請求項１又は２に記載の電飾器。
【請求項４】
前記レンズの前記光拡散部は光拡散フィルムを貼り付けることによって形成されていることを特徴とする請求項１又は２に記載の電飾器。
【請求項５】
前記レンズは、前記入射部が円柱形に形成され、前記出射部が円錐形に形成されていることを特徴とする請求項１から４いずれか一項に記載の電飾器。
【請求項６】
前記発光部は３個以上の発光素子を含んで構成され、一のモードでは、前記３個以上の発光素子の中の少なくとも２個の発光素子は点灯制御信号生成部によって生成された別々の点灯制御信号によって互いに異なる周期で明暗を繰り返すように発光制御され、残りの発光素子の中の少なくとも１個の発光素子は、点灯制御信号生成部によって生成され前記別々の点灯制御信号を所定の時間間隔で交互に切り替えた形の点灯制御信号によって発光制御されることを特徴とする請求項１から５いずれか一項に記載の電飾器。
【考案の詳細な説明】
【技術分野】
【０００１】
本考案は、電飾器に関するものである。
【背景技術】
【０００２】
従来、電飾器として、同一色に発光する複数の発光素子を等間隔に基板の上に取り付け、この基板を覆い、ろうそくの炎をイメージする形状をして、光を拡散および透過する第１カバーと、第１のカバーの外側に設けて少なくとも側面の一部または全部が光を拡散および透過する第２のカバーを設けたものが知られている（例えば、特許文献１）。このように構成された発光素子は、電源を印加すると、個々の周期でそれぞれ明暗を変化させながら点灯し、個々の明暗で点灯させられた明かりは重なり合って、さらに第１のカバーおよび第２のカバーで拡散および透過されて、第２のカバーの外から見るとろうそくの炎に近いあかりを実現することができる。
【特許文献１】特開２００４−７１３７６号公報
【考案の開示】
【考案が解決しようとする課題】
【０００３】
しかしながら、上記特許文献１に記載の電飾器では、発光素子をドーム状の第１カバーで覆っているだけなので、外部から視認できる光像は卵形に近く、ろうそくの炎の形状を表現するには十分でなかった。なぜなら、ろうそくの炎の形状は炎の基端が丸く、先端が尖っているのに対して、上記特許文献１に記載の電飾器では、上述のように、光像は上下とも丸まっているからである。
【０００４】
また、上記特許文献１に記載の電飾器では、複数の発光素子を単純に同一色に発光させているだけなので、外部から視認できる光像も同一色となり、基端部から先端部にかけて微妙な色合いの変化を伴うろうそくの炎の色彩を表現するには十分でなかった。
【０００５】
本考案は、かかる問題点を解決するためになされたもので、ろうそくの炎の形状及び色彩に近い光像が得られる電飾器を提供することを目的とする。
【課題を解決するための手段】
【０００６】
請求項１の考案は、
光を一端から入射するための柱状の入射部、及び前記入射部の他端に連設されて光を出射するための尖頭状の出射部を有するレンズと、
前記レンズの前記入射部の前記一端から白色光を入射させるための発光部と、
少なくとも前記レンズの外周の回りを取り囲む半透明のカバー部と、
を備える電飾器であって、
前記レンズは、
半透明の橙色に着色された光拡散部を前記出射部の外周面に有し、
前記入射部の前記一端側の側周面が青色に着色されていることを特徴とする。
【０００７】
請求項２の考案は、
光を一端から入射するための柱状の入射部、及び前記入射部の他端に連設されて光を出射するための尖頭状の出射部を有するレンズと、
少なくとも前記入射部の前記一端側の側周面を囲んで前記レンズを保持するレンズ受けと、
前記レンズの前記入射部の前記一端から白色光を入射させるための発光部と、
少なくとも前記レンズの外周の回りを取り囲む半透明のカバー部と、
を備える電飾器であって、
前記レンズは、半透明の橙色に着色された光拡散部を前記出射部の外周面に有し、
前記レンズ受けは、前記レンズの前記入射部を囲む内周面が青色に着色されていることを特徴とする。
【０００８】
請求項３の考案は、請求項１又は２に記載の電飾器であって、
前記レンズの前記光拡散部は粗面によって構成されていることを特徴とする。
【０００９】
請求項４の考案は、請求項１又は２に記載の電飾器であって、
前記レンズの前記光拡散部は光拡散フィルムを貼り付けることによって形成されていることを特徴とする。
【００１０】
請求項５の考案は、請求項１から４いずれか一項に記載の電飾器であって、
前記レンズは、前記入射部が円柱形に形成され、前記出射部が円錐形に形成されていることを特徴とする。
【００１１】
請求項６の考案は、請求項１から５いずれか一項に記載の電飾器であって、
前記発光部は３個以上の発光素子を含んで構成され、一のモードでは、前記３個以上の発光素子の中の少なくとも２個の発光素子は点灯制御信号生成部によって生成された別々の点灯制御信号によって互いに異なる周期で明暗を繰り返すように発光制御され、残りの発光素子の中の少なくとも１個の発光素子は、点灯制御信号生成部によって生成され前記別々の点灯制御信号を所定の時間間隔で交互に切り替えた形の点灯制御信号によって発光制御されることを特徴とする。
【考案の効果】
【００１２】
請求項１，２の考案によれば、レンズの出射部が、外周面に光拡散部を有する尖頭状に形成されているので、この出射部によって基端側で丸く先端側で尖った光像がカバー部に投影される。その結果、従来に比較すると、さらに、ろうそくの炎に近い形の光像が得られることになる。
【００１３】
また、レンズの光拡散部が半透明の橙色に着色されるとともに、レンズの入射部の一端側の側周面が青色に着色されるか、或いはレンズの入射部を囲むレンズ受けの内周面が青色に着色されているので、基端側から先端側に向かって青色から橙色に徐々に変化する光像がカバー部に投影される。その結果、従来に比較すると、さらに、ろうそくの炎に近い色彩の光像が得られることになる。
【００１４】
請求項６の考案によれば、一のモードでは、別々の点灯制御信号によって発光制御される発光素子によって形成される光像に、別々の点灯制御信号を所定の時間間隔で順次に切り替えて生成される点灯制御信号によって発光制御される発光素子によって形成される光像が加わるので、全体としての光像が大きく伸縮することとなり、ろうそくの炎の揺らぎ及び瞬きの様を表現することができる。
【考案を実施するための最良の形態】
【００１５】
以下、本考案の実施形態に係る電飾器を図面に基づいて説明する。
図１は、本考案の実施形態に係る電飾器の斜視図、図２は、図１の電飾器のカバー部等の一部を切り欠いた状態の斜視図、図３は、図１の電飾器の分解斜視図である。
【００１６】
本考案の実施形態に係る電飾器１では、基台２の外周に付設された操作子３を左右に動作させることによって、消灯モード、ろうそくモード及び全灯モードを選択的に切り替えることができる。そして、基台２の上に着脱自在に付設されたカバー部４には、ろうそくモード及び全灯モードのときにはそれぞれ所定の光像が映し出される。具体的には、ろうそくモードのときには、カバー部４にはろうそくの炎のように瞬きをし揺らぎのある光像が映し出され、全灯モードのときにはろうそくの炎のような形状はしているが瞬き及び揺らぎの少ない光像が映し出される。
以下、この電飾器１の詳細を説明する。
【００１７】
基台２の内部には、電飾器１の電源となる電池（図示せず）と、発光素子点灯回路装置２０（図４参照）とが設置されている。このうち発光素子点灯回路装置２０については後に詳細に説明する。
【００１８】
基台２の上面には、特に限定はされないが、３個の発光素子（ＬＥＤ）Ａ，Ｂ，Ｃが配線基板１０の上に並んで設けられている。３個の発光素子Ａ，Ｂ，Ｃは、特に限定はされないが、チップタイプのものであり、その３個の発光素子Ａ，Ｂ，Ｃの発光色は、白色となっている。
また、基台２の上面にはレンズ立て５が設置されている。レンズ立て５はレンズ６を起立させるためのものである。このレンズ立て５は円筒状を呈し、下端には起立を容易にするための鍔部が形成されている。レンズ立て５の開口径は、３個の発光素子Ａ，Ｂ，Ｃを取り囲むことができる大きさとなっている。
ここで、レンズ立て５は全体が遮光性を有し、３個の発光素子Ａ，Ｂ，Ｃが外部から直接視認できないような構成となっている。なお、レンズ立て５の一部だけ遮光性を有する構成としても良い。必要なのは、３個の発光素子Ａ，Ｂ，Ｃからの光が直接に外部に漏れるのを防止することである。
【００１９】
レンズ６は、特に限定はされないが、アクリル樹脂又はガラスによって形成されている。このレンズ６はろうそくの炎の形状に似せた光像を形成するためのもので、入射部６１及び出射部６２を備えている。
レンズ６の入射部６１は円柱状に形成されており、下端側半分ほどの着色部６１ａと、残る上端側半分ほどの透明部６１ｂとから構成されている。このうち着色部６１ａは側周面が不透明の青色に着色されており、透明部６１ｂは無色透明となっている。この入射部６１のうちの着色部６１ａを含む下端部分が上記レンズ立て５の開口に差し込まれることによって、レンズ６はレンズ立て５に保持される。
一方、レンズ６の出射部６２は、特に限定はされないが、円錐状に形成されている。そして、この出射部６２の外周面は光拡散面となっている。出射部６２の外周面を光拡散面とする手法としては、例えば、サンドブラスト法によって出射部６２の外周面に凹凸を形成する方法や、ヤスリで削ることによって出射部６２の外周面に筋状の凹凸を形成する方法や、光拡散フィルムを出射部６２の外周面に貼る方法などが挙げられる。
また、出射部６２は、半透明の橙色に着色されている。
なお、出射部６２は尖頭状に形成されていればよい。より詳しくは、出射部６２は、先端は尖っていても良いが、多少丸まっているか、平らな部分があっても良い。例えば、平らな部分があれば、そこから光が上方に向けて抜けるので光像の高さが大きくなる。
【００２０】
カバー部４は、基台２の上面と、レンズ立て５に保持されたレンズ６とを覆うものである。このカバー部４は、コップを逆さまにした形状を呈している。このカバー部４の表面はスリガラス状で半透明となっている。
なお、カバー部４はレンズ６の外周を取り囲むものであれば良い。また、カバー部４は和紙などから構成されていても良い。さらに、カバー部４を設けずに、投影レンズを通して光像を壁やスクリーンに投影するように構成しても良い。
【００２１】
次に、図４に基づいて発光素子点灯回路装置２０を説明する。
発光素子点灯回路装置２０は、基準信号発生部２１と、第１デューティ制御部２２と、第２デューティ制御部２３と、切り替え信号発生部２４と、駆動切り替え部２５と、点灯ドライバ２６とを含んで構成されている。この発光素子点灯回路装置２０の各部の構成を、ろうそくモードにある場合の働きと共に説明する。
【００２２】
基準信号発生部２１は、３個の発光素子Ａ，Ｂ，Ｃを駆動するための基準信号を生成するためのものである。この基準信号としては、特に限定はされないが、８．２５Ｈｚの方形波の信号が生成される。
第１デューティ制御部（点灯制御信号生成部）２２は、主に、上記基準信号に基づいて発光素子Ａの点灯制御信号を生成するためのものである。また、第２デューティ制御部（点灯制御信号生成部）２３は、主に、上記基準信号に基づいて発光素子Ｂの点灯制御信号を生成するためのものである。
ここに、第１デューティ制御部２２及び第２デューティ制御部２３は、基準信号発生部２１からの基準信号のデューティを特に限定はされないが図５に示す９８．７％〜図６に示す６％の間で周期的に変化させて、正弦波又は三角波の如く明暗を繰り返すように発光素子Ａ，Ｂを発光させるためのものである。ただし、第１デューティ制御部２２から出力される点灯制御信号と第２デューティ制御部２３から出力される点灯制御信号とでは、デューティの変化の周期が異なっている。特に限定はされないが、第１デューティ制御部２２から出力される点灯制御信号ではデューティの変化の周期が０．１４Ｈｚ、第２デューティ制御部２３から出力される点灯制御信号の変化の周期は０．２２Ｈｚとなっている。
切り替え信号発生部２４は、発光素子Ｃの駆動切り替えを行うためのタイミング信号を生成するためのものである。このタイミング信号としては、特に限定はされないが、図７に示す２．８５Ｈｚの方形波の信号が生成される。
駆動切り替え部（点灯制御信号生成部）２５は、第１デューティ制御部２２及び第２デューティ制御部２３の点灯制御信号に基づき発光素子Ｃの点灯制御信号を生成するためのものである。具体的には、駆動切り替え部２５は、切り替え信号発生部２４からの駆動切り替えタイミング信号のハイ、ローの切り替えタイミングで、第１デューティ制御部２２から出力される点灯制御信号と第２デューティ制御部２３から出力される点灯制御信号とを交互に切り替えてなる点灯制御信号を生成する。
点灯ドライバ２６は、点灯制御信号を反転させて発光素子Ａ，Ｂ，Ｃに供与する。
以上によって、発光素子Ａ，Ｂ，Ｃの発光は図８（Ａ），（Ｂ），（Ｃ）のように制御される。
【００２３】
以上、ろうそくモードにある場合の発光素子点灯回路装置２０の各部の働きを説明したが、全灯モードにある場合には、例えば、第１デューティ制御部２２及び第２デューティ制御部２３は、基準信号発生部２１からの基準信号のデューティを特に限定はされないが図５に示す９８．７％に固定させて点灯ドライバ２６に供与する。
【００２４】
次に、本考案の実施形態に係る電飾器１の作用及び効果を説明する。
図９は、発光素子Ａ，Ｂ，Ｃを定電流で発光させた場合に、レンズ６を通してカバー部４に投影される光像を模式的に示した図である。
この図に示すように、発光素子Ａ，Ｂ，Ｃを定電流で発光させた場合の光像は下側（基端側）が丸く上側（先端側）が尖った形状となる。実際のろうそくの炎は雫形状であり、この図９のレンズ６を使用した場合の光像に近いものである。なお、ちなみに、出射部６２を図９の場合よりも短くした場合には、光像の高さが小さくなる。あまり小さくなると横方向の寸法に対して高さ方向の寸法が足りなくなってろうそくの炎の形状とかけ離れるので、入射部６１の２倍以上とすることが好ましい。
また、この場合の光像は、入射部６１下端側の着色部６１ａを透過又は反射した光が出射部６２を出射して投影されるため、下側に向かうほど濃くなる青色と略一様な濃度の橙色との混色になる。つまり、下側から上側に向かって青色から橙色に徐々に変化する光像が得られ、従来の同一色の光像に比較すると、さらに、ろうそくの炎に近い色彩の光像が得られることになる。
【００２５】
図１０は、ろうそくモードにおいてカバー部４に投影される光像を模式的に示した図である。
この図に示すように、ろうそくモードでの光像は、互いに異なる周期で明暗を繰り返す２個の発光素子Ａ，Ｂの組み合わせによって生成される光像の揺らぎの上に、２個の発光素子Ａ，Ｂの発光状態を交互に取る発光素子Ｃの光像の揺らぎが加わるので、全体としての構造は上下方向に大きく伸縮することになるとともに、明るさも大きく変化する。その結果、ろうそくの炎が小さくなり一瞬消えかかった後、また、勢いよく燃え盛る様子が表現できることになる。
【００２６】
［変形例］
続いて、上記実施形態に係る電飾器１の変形例としての電飾器１Ａについて、図１１を参照して説明する。なお、上記実施形態と同様の構成要素には同一の符号を付し、その説明を省略する。
【００２７】
図１１は、電飾器１Ａの分解斜視図である。
この図に示すように、電飾器１Ａは、上記実施形態のレンズ受け５及びレンズ６に代えて、レンズ受け５Ａ及びレンズ６Ａを備えている。
【００２８】
レンズ受け５Ａは、内周面が青色に着色されているほかは、上記実施形態のレンズ受け５と全く同様に構成されている。
レンズ６Ａは、上記実施形態の入射部６１に代えて入射部６１Ａを備えている。この入射部６１Ａは、全体が無色透明の円柱状に形成されている。
【００２９】
このように構成された電飾器１Ａによっても、上記実施形態における電飾器１と同様の効果を奏することができる。
【００３０】
以上、本考案の実施形態及びその変形例について説明したが、本考案は、上記実施形態及びその変形例に限定されるものではなく、その要旨を逸脱しない範囲で種々変形可能であることはいうまでもない。
例えば、上記実施形態及びその変形例では、円柱状の入射部６１，６１Ａに円錐状の出射部６２を設けているが、角錐状の入射部６１，６１Ａに角錐状の出射部６２を設けても良いことは勿論である。
また、入射部６１，６１Ａの長さ方向に直交する断面と出射部６２の同一方向断面とは互いに同一又は相似の形となっているが、互いに異なっていても良い。
さらに、入射部６１，６１Ａの外周面と出射部６２の外周面とが連続している場合について説明したが、入射部６１，６１Ａと出射部６２とが連設されていれば境界部分に段差が形成されていても良い。
加えて、上記実施形態における入射部６１のうちの着色部６１ａの範囲は、半分ほどに限定されず、光像に反映させたい青色の度合いに応じて適宜調整しても良い。具体的には、光像に青色をより濃く反映させたければ着色部６１ａの範囲を入射部６１の上端側へ広げ、青色をより薄く反映させたければ着色部６１ａの範囲を入射部６１の下端側へ狭くすればよい。同様に、上記実施形態の変形例におけるレンズ受け５Ａの内周面についても、光像に反映させたい青色の度合いに応じて、青色に着色する範囲を適宜調整しても良い。
【図面の簡単な説明】
【００３１】
【図１】本考案の実施形態に係る電飾器の斜視図である。
【図２】図１の電飾器のカバー部等の一部を切り欠いた状態の斜視図である。
【図３】図１の電飾器の分解斜視図である。
【図４】図１の電飾器の発光素子点灯回路装置の構成を示す図である。
【図５】図１の電飾器の発光素子の点灯制御波形を示す図である。
【図６】図１の電飾器の発光素子の点灯制御波形を示す図である。
【図７】駆動切り替え波形を示す図である。
【図８】発光素子Ａ，Ｂ，Ｃの発光の制御波形を示す図である。
【図９】実施形態に係るレンズ及び光像の模式図である。
【図１０】実施形態に係るレンズ及び光像変化の模式図である。
【図１１】実施形態の変形例に係る電飾器の分解斜視図である。
【符号の説明】
【００３２】
１，１Ａ  電飾器
２        基台
３        操作子
４        カバー部
５，５Ａ  レンズ立て
６，６Ａ  レンズ
１０      配線基板
２０      発光素子点灯回路装置
２１      基準信号発生部
２２      第１デューティ制御部（点灯制御信号生成部）
２３      第２デューティ制御部（点灯制御信号生成部）
２４      切り替え信号発生部
２５      駆動切り替え部（点灯制御信号生成部）
２６      点灯ドライバ
６１，６１Ａ  入射部
６１ａ    着色部
６１ｂ    透明部
６２      出射部
Ａ，Ｂ，Ｃ  発光素子
【図１】
0003148132.tif 000003
【図２】
0003148132.tif 000004
【図３】
0003148132.tif 000005
【図４】
0003148132.tif 000006
【図５】
0003148132.tif 000007
【図６】
0003148132.tif 000008
【図７】
0003148132.tif 000009
【図８】
0003148132.tif 000010
【図９】
0003148132.tif 000011
【図１０】
0003148132.tif 000012
【図１１】
0003148132.tif 000013